(57)【要約】【課題】荷電粒子線の照射時間を短縮することができる治療計画システムを提供することを目的とする。【解決手段】治療計画システム２００の演算部１１０は、腫瘍１４の各照射箇所において必要とされる線量を示すマップ（図７参照）から、カットオフ線量値以下の線量を切り落としたうえで、線量分布を演算する際の荷電粒子線Ｂの電流値を設定する。この場合、演算部１１０は、カットオフ線量値よりも高い線量（図７の「Ａ１」）を基準として電流値を設定することができる。これにより、高い電流値の荷電粒子線で走査を行うことで、全体の照射時間を短縮することができる。【選択図】図４
2020065655.tif 000002
【特許請求の範囲】
【請求項１】
荷電粒子線治療の治療計画を行う治療計画システムであって、
予め定められた複数のカットオフ線量値に対応させて、被照射体に対して荷電粒子線を照射した場合の線量分布、及び当該照射に要する照射時間を演算する演算部と、
それぞれの前記カットオフ線量値、それぞれの前記カットオフ線量値に対応する線量分布に基づくデータ、及びそれぞれの前記カットオフ線量値に対応する前記照射時間を表示部へ出力する出力部と、を備え、
前記演算部は、前記被照射体の各照射箇所において必要とされる線量から、前記カットオフ線量値以下の線量の照射箇所を切り落としたうえで、前記線量分布を演算する際の前記荷電粒子線の電流値を設定する、治療計画システム。
【請求項２】
前記表示部に表示された内容に基づいてユーザーが前記カットオフ線量値を選択した場合、選択された前記カットオフ線量値を受信するカットオフ線量値受信部と、
前記カットオフ線量値受信部で受信した前記カットオフ線量値に基づいて、前記被照射体へ前記荷電粒子線を照射する際の当該荷電粒子線の電流値を設定する電流値設定部と、を備える、請求項１に記載の治療計画システム。
【請求項３】
ユーザーによる、線量分布に基づくパラメータの入力を受信する入力情報受信部と、
前記入力情報受信部が受信した前記パラメータに最も近いパラメータに対応する前記カットオフ線量値を自動的に選択するカットオフ線量値選択部と、を備える、請求項１または２に記載の治療計画システム。
【請求項４】
前記演算部は、一つの治療計画を取得し、当該治療計画に対して複数のカットオフ線量値を採用した場合の複数の線量分布を演算する、請求項１〜３の何れか一項に記載の治療計画システム。
【請求項５】
前記演算部は、複数のカットオフ線量値を採用した場合の複数の治療計画を取得し、それぞれの治療計画に対する線量分布を演算する、請求項１〜３の何れか一項に記載の治療計画システム。
【発明の詳細な説明】
【技術分野】
【０００１】
本発明は、治療計画システムに関する。
【背景技術】
【０００２】
従来、患者の患部に荷電粒子線を照射することによって治療を行う荷電粒子線治療装置が知られている。特許文献１には、被照射体を複数層に分けて、各層に対して荷電粒子線を走査してスキャニング法によって照射する荷電粒子線治療装置が記載されている。このような荷電粒子線治療装置は、治療計画システムで作成された治療計画に基づいて荷電粒子線の照射を行う。
【先行技術文献】
【特許文献】
【０００３】
【特許文献１】特開２００９−２４３８９１号公報
【発明の概要】
【発明が解決しようとする課題】
【０００４】
ここで、上述の様な荷電粒子線治療装置は、各層に対して荷電粒子線をスキャニングしながら照射するため、照射時間が長くなると治療時間が長くなる。従って、治療計画システムでは、荷電粒子線装置による荷電粒子線の照射時間を短縮することが求められていた。
【０００５】
本発明は、荷電粒子線の照射時間を短縮することができる治療計画システムを提供することを目的とする。
【課題を解決するための手段】
【０００６】
本発明の一形態に係る治療計画システムは、荷電粒子線治療の治療計画を行う治療計画システムであって、予め定められた複数のカットオフ線量値に対応させて、被照射体に対して荷電粒子線を照射した場合の線量分布、及び当該照射に要する照射時間を演算する演算部と、それぞれのカットオフ線量値、それぞれのカットオフ線量値に対応する線量分布に基づくデータ、及びそれぞれの前記カットオフ線量値に対応する照射時間を表示部へ出力する出力部と、を備え、演算部は、被照射体の各照射箇所において必要とされる線量から、カットオフ線量値以下の線量の照射箇所を切り落としたうえで、線量分布を演算する際の荷電粒子線の電流値を設定する。
【０００７】
例えば、被照射体の各照射箇所において必要とされる線量を示すマップのうち、最も低い線量を基準にして荷電粒子線の電流値が低く設定された場合、必要とされる線量が高い照射箇所へは、照射時間を長くするために低い走査速度で照射が行われるため、被照射体全体の照射時間が長くなる。これに対し、上記治療計画システムの演算部は、被照射体の各照射箇所において必要とされる線量を示すマップから、カットオフ線量値以下の線量を切り落としたうえで、線量分布を演算する際の荷電粒子線の電流値を設定する。この場合、演算部は、カットオフ線量値よりも高い線量を基準として電流値を設定することができる。これにより、高い電流値の荷電粒子線で走査を行うことで、全体の照射時間を短縮することができる。ここで、演算部は、予め定められた複数のカットオフ線量値に対応させて、被照射体に対して荷電粒子線を照射した場合の線量分布、及び当該照射に要する照射時間を演算することができる。また、出力部は、それぞれのカットオフ線量値、それぞれのカットオフ線量値に対応する線量分布に基づくデータ、及びそれぞれのカットオフ線量値に対応する照射時間を表示部へ出力することができる。従って、ユーザーは、表示部を参照することで、照射精度と照射時間のバランスを見ながら、適切なカットオフ線量値を選ぶことが可能となる。以上により、荷電粒子線の照射時間を短縮することができる。
【０００８】
治療計画システムは、表示部に表示された内容に基づいてユーザーがカットオフ線量値を選択した場合、選択されたカットオフ線量値を受信するカットオフ線量値受信部と、カットオフ線量値受信部で受信したカットオフ線量値に基づいて、被照射体へ荷電粒子線を照射する際の当該荷電粒子線の電流値を設定する電流値設定部と、を備えてよい。この場合、ユーザーの選択に基づいて設定されたカットオフ線量値に基づいた電流値の荷電粒子線にて治療を行うことが可能となる。
【０００９】
治療計画システムは、ユーザーによる、線量分布に基づくパラメータの入力を受信する入力情報受信部と、入力情報受信部が受信したパラメータに最も近いパラメータに対応するカットオフ線量値を自動的に選択するカットオフ線量値選択部と、を備えてよい。この場合、ユーザーが所望するパラメータに基づいたカットオフ線量値にて治療を行うことが可能となる。
【００１０】
治療計画システムにおいて、演算部は、一つの治療計画を取得し、当該治療計画に対して複数のカットオフ線量値を採用した場合の複数の線量分布を演算してよい。この場合、治療計画の最適化演算が一回で済むため、演算時間を短くすることができる。
【００１１】
治療計画システムにおいて、演算部は、複数のカットオフ線量値を採用した場合の複数の治療計画を取得し、それぞれの治療計画に対する線量分布を演算してよい。この場合、演算部が各カットオフ線量値に対して治療計画の最適化を行うため、線量分布の乱れを抑制し易くなる。
【発明の効果】
【００１２】
本発明によれば、荷電粒子線の照射時間を短縮することができる治療計画システムを提供することができる。
【図面の簡単な説明】
【００１３】
【図１】本発明の一実施形態に係る治療計画システムで計画された治療計画に基づいて荷電粒子線治療を行う荷電粒子線治療装置を示す概略構成図である。
【図２】図１の荷電粒子線治療装置の照射部付近の概略構成図である。
【図３】腫瘍に対して設定された層を示す図である。
【図４】治療計画システムを示すブロック図である。
【図５】治療計画システムによる治療計画の手順の一例を示す。
【図６】治療計画システムによる治療計画の手順の他の例を示す。
【図７】演算部の演算に用いられるウェイトマップである。
【図８】ＤＶＨを示すグラフである。
【発明を実施するための形態】
【００１４】
以下、図面を参照して種々の実施形態について詳細に説明する。なお、各図面において同一又は相当の部分に対しては同一の符号を付し、重複する説明を省略する。
【００１５】
図１は、本発明の一実施形態に係る治療計画システムで計画された治療計画に基づいて荷電粒子線治療を行う荷電粒子線治療装置を示す概略構成図である。図１に示される荷電粒子線治療装置１は、放射線療法によるがん治療等に利用される装置である。荷電粒子線治療装置１は、荷電粒子を生成するイオン源５０と、イオン源５０において生成された荷電粒子を加速して荷電粒子線として出射する加速器３と、荷電粒子線を被照射体へ照射する照射部２と、加速器３から出射された荷電粒子線を照射部２へ輸送するビーム輸送ライン２１と、ビーム輸送ライン２１上において加速器３と照射部２との間に設けられたエネルギー調整部２０と、を備えている。照射部２は、治療台４を取り囲むように設けられた回転ガントリ５に取り付けられている。照射部２は、回転ガントリ５によって治療台４の周りを回転可能に構成されている。
【００１６】
図２は、図１の荷電粒子線治療装置の照射部付近の概略構成図である。なお、以下の説明においては、「Ｘ方向」、「Ｙ方向」、「Ｚ方向」という語を用いて説明する。「Ｚ方向」とは、荷電粒子線Ｂの基軸（照射軸）ＡＸが延びる方向であり、荷電粒子線Ｂの照射の深さ方向である。なお、「基軸ＡＸ」とは、後述の照射位置調整部６０で偏向しなかった場合の荷電粒子線Ｂの照射軸とする。図２では、基軸ＡＸに沿って荷電粒子線Ｂが照射されている様子を示している。「Ｘ方向」とは、Ｚ方向と直交する平面内における一の方向である。「Ｙ方向」とは、Ｚ方向と直交する平面内においてＸ方向と直交する方向である。
【００１７】
まず、図２を参照して荷電粒子線治療装置１の概略構成について説明する。なお、以降の説明においては、荷電粒子線治療装置１がスキャニング法に係る照射装置である場合について説明する。なお、スキャニング方式は特に限定されず、ラインスキャニング、ラスタースキャニング、スポットスキャニング等を採用してよい。図２に示されるように、荷電粒子線治療装置１は、加速器３と、照射部２と、ビーム輸送ライン２１と、制御部７と、を備えている。
【００１８】
加速器３は、荷電粒子を加速して予め設定されたエネルギーの荷電粒子線Ｂを出射する装置である。加速器３として、例えば、サイクロトロン、シンクロサイクロトロン、ライナック等が挙げられる。なお、加速器３として予め定めたエネルギーの荷電粒子線Ｂを出射するサイクロトロンを採用する場合、エネルギー調整部２０を採用することで、照射部２へ送られる荷電粒子線Ｂのエネルギーを調整（低下）させることが可能となる。この加速器３は、制御部７に接続されており、供給される電流が制御される。加速器３で発生した荷電粒子線Ｂは、ビーム輸送ライン２１によって照射部２へ輸送される。ビーム輸送ライン２１は、加速器３と、エネルギー調整部２０と、照射部２と、を接続し、加速器３から出射された荷電粒子線Ｂを照射部２へ輸送する。
【００１９】
照射部２は、患者１５の体内の腫瘍（被照射体）１４に対し、荷電粒子線Ｂを照射するものである。荷電粒子線Ｂとは、電荷をもった粒子を高速に加速したものであり、例えば陽子線、重粒子（重イオン）線、電子線等が挙げられる。具体的に、照射部２は、イオン源（不図示）で生成した荷電粒子を加速する加速器３から出射されてビーム輸送ライン４１で輸送された荷電粒子線Ｂを腫瘍１４へ照射する装置である。照射部２は、走査電磁石（走査部）６、四極電磁石８、プロファイルモニタ１１、ドーズモニタ１２、フラットネスモニタ１３ａ，１３ｂ、及びディグレーダ３０を備えている。走査電磁石６、各モニタ１１，１２，１３ａ，１３ｂ、四極電磁石８、及びディグレーダ３０は、照射ノズル９に収容されている。
【００２０】
走査電磁石６は、Ｘ方向走査電磁石６ａ及びＹ方向走査電磁石６ｂを含む。Ｘ方向走査電磁石６ａ及びＹ方向走査電磁石６ｂは、それぞれ一対の電磁石から構成され、制御部７から供給される電流に応じて一対の電磁石間の磁場を変化させ、当該電磁石間を通過する荷電粒子線Ｂを走査する。Ｘ方向走査電磁石６ａは、Ｘ方向に荷電粒子線Ｂを走査し、Ｙ方向走査電磁石６ｂは、Ｙ方向に荷電粒子線Ｂを走査する。これらの走査電磁石６は、基軸ＡＸ上であって、加速器３よりも荷電粒子線Ｂの下流側にこの順で配置されている。
【００２１】
四極電磁石８は、Ｘ方向四極電磁石８ａ及びＹ方向四極電磁石８ｂを含む。Ｘ方向四極電磁石８ａ及びＹ方向四極電磁石８ｂは、制御部７から供給される電流に応じて荷電粒子線Ｂを絞って収束させる。Ｘ方向四極電磁石８ａは、Ｘ方向において荷電粒子線Ｂを収束させ、Ｙ方向四極電磁石８ｂは、Ｙ方向において荷電粒子線Ｂを収束させる。四極電磁石８に供給する電流を変化させて絞り量（収束量）を変化させることにより、荷電粒子線Ｂのビームサイズを変化させることができる。四極電磁石８は、基軸ＡＸ上であって加速器３と走査電磁石６との間にこの順で配置されている。なお、ビームサイズとは、ＸＹ平面における荷電粒子線Ｂの大きさである。また、ビーム形状とは、ＸＹ平面における荷電粒子線Ｂの形状である。
【００２２】
プロファイルモニタ１１は、初期設定の際の位置合わせのために、荷電粒子線Ｂのビーム形状及び位置を検出する。プロファイルモニタ１１は、基軸ＡＸ上であって四極電磁石８と走査電磁石６との間に配置されている。ドーズモニタ１２は、荷電粒子線Ｂの強度を検出し、制御部７に信号を送信する。ドーズモニタ１２は、基軸ＡＸ上であって走査電磁石６に対して下流側に配置されている。フラットネスモニタ１３ａ，１３ｂは、荷電粒子線Ｂのビーム形状及び位置を検出監視する。フラットネスモニタ１３ａ，１３ｂは、基軸ＡＸ上であって、ドーズモニタ１２よりも荷電粒子線Ｂの下流側に配置されている。各モニタ１１，１２，１３ａ，１３ｂは、検出した検出結果を制御部７に出力する。
【００２３】
ディグレーダ３０は、通過する荷電粒子線Ｂのエネルギーを低下させて当該荷電粒子線Ｂのエネルギーの微調整を行う。本実施形態では、ディグレーダ３０は、照射ノズル９の先端部９ａに設けられている。なお、照射ノズル９の先端部９ａとは、荷電粒子線Ｂの下流側の端部である。照射ノズル９内のディグレーダ３０は、省略することも可能である。
【００２４】
制御部７は、例えばＣＰＵ、ＲＯＭ、及びＲＡＭ等により構成されている。この制御部７は、プロファイルモニタ１１と、ドーズモニタ１２、及び照射位置調整部６０から出力された検出結果に基づいて、加速器３、四極電磁石８、走査電磁石６、及びディグレーダ３０を制御する。
【００２５】
また、荷電粒子線治療装置１の制御部７は、荷電粒子線治療の治療計画を行う治療計画システム２００の治療計画装置１００と接続されている。治療計画装置１００は、治療前に患者１５の腫瘍１４をＣＴ等で測定し、腫瘍１４の各位置における線量分布（照射すべき荷電粒子線Ｂの線量分布）を計画する。具体的には、治療計画装置１００は、腫瘍１４に対して治療計画マップを作成する。治療計画装置１００は、作成した治療計画マップを制御部７へ送信する。治療計画装置１００が作成した治療計画マップでは、荷電粒子線Ｂがどのような走査経路を描くかが計画されている。
【００２６】
スキャニング法による荷電粒子線の照射を行う場合、腫瘍１４をＺ軸方向に複数の層に仮想的に分割し、一の層において荷電粒子線を治療計画において定めた走査経路に従うように走査して照射する。そして、当該一の層における荷電粒子線の照射が完了した後に、隣接する次の層における荷電粒子線Ｂの照射を行う。
【００２７】
図２に示す荷電粒子線治療装置１により、スキャニング法によって荷電粒子線Ｂの照射を行う場合、通過する荷電粒子線Ｂが収束するように四極電磁石８を作動状態（ＯＮ）とする。
【００２８】
制御部７の制御に応じた走査電磁石６の荷電粒子線照射イメージについて、図３（ａ）及び（ｂ）を参照して説明する。図３（ａ）は、深さ方向において複数の層に仮想的にスライスされた被照射体を、図３（ｂ）は、深さ方向から見た一の層における荷電粒子線の走査イメージを、それぞれ示している。
【００２９】
図３（ａ）に示すように、被照射体は照射の深さ方向において複数の層に仮想的にスライスされており、本例では、深い（荷電粒子線Ｂの飛程が長い）層から順に、層Ｌ１、層Ｌ２、…層Ｌｎ−１、層Ｌｎ、層Ｌｎ＋１、…層ＬＮ−１、層ＬＮとＮ層に仮想的にスライスされている。また、図３（ｂ）に示すように、荷電粒子線Ｂは、走査経路ＴＬに沿ったビーム軌道を描きながら、連続照射（ラインスキャニング又はラスタースキャニング）の場合は層Ｌｎの走査経路ＴＬに沿って連続的に照射され、スポットスキャニングの場合は層Ｌｎの複数の照射スポットに対して照射される。すなわち、制御部７に制御された照射部２から出射した荷電粒子線Ｂは、走査経路ＴＬ上を移動する。
【００３０】
次に、図４を参照して治療計画システム２００について説明する。図４に示すように、治療計画システム２００は、治療計画装置１００と、表示部１０１と、入力部１０２と、を備える。
【００３１】
表示部１０１は、各種情報をユーザーに対して表示する。表示部１０１は、ディスプレイなどによって構成される。表示部１０１は、治療計画装置１００からの信号を受信して、情報を表示する。入力部１０２は、ユーザーの操作によって入力がなされる。入力部１０２は、マウス、キーボード、タッチパネルなどによって構成される。
【００３２】
治療計画装置１００は、演算部１１０と、出力部１１１と、受信部１１２（カットオフ線量値受信部、入力情報受信部）と、カットオフ線量値選択部１１３と、電流値設定部１１４と、を備える。なお、治療計画装置１００は、一台の処理装置から構成されている場合のみならず、複数台の処理装置によるシステム・ワークステーションとして構成されてもよい。
【００３３】
演算部１１０は、治療計画のための各種演算を行う部分である。演算部１１０は、ＣＴ画像などから取得した腫瘍１４のデータに基づいて、治療のための層の数、操作経路、走査速度などを最適化するための演算を行う。また、演算部１１０は、最適化した治療計画に対する線量分布を演算する。
【００３４】
ここで、腫瘍１４は、箇所によって必要とされる荷電粒子線Ｂの線量が異なる。例えば、腫瘍１４の境界付近などは、腫瘍１４の中央付近に比べて、必要とされる線量が低い。荷電粒子線Ｂは、電流値を一定とした状態で走査される。従って、特定の箇所に対する線量は、荷電粒子線Ｂの走査速度が低いほど、照射時間が長くなることで大きくなる。荷電粒子線Ｂは、必要な線量が高い箇所に対しては低い走査速度で移動し、必要な線量が低い箇所に対しては高い走査速度で移動する。荷電粒子線Ｂは、必要な線量が最も低い箇所では最高走査速度で移動する。
【００３５】
図７は、演算部１１０の演算に用いられるウェイトマップである。横軸は重みを示し、縦軸は頻度を示す。重みは、腫瘍１４中の各層の走査経路の各箇所において必要とされる単位長さ当たりの線量を示す。頻度は、腫瘍１４の各層の走査経路中に、所定の重みの箇所がどの程度の頻度で存在するかを示す。荷電粒子線Ｂの電流値は、当該ウェイトマップ中の最も低い重みを基準として設定される。最も低い重みの箇所では、荷電粒子線Ｂの走査速度は最高走査速度となり、重みの高い箇所ほど、荷電粒子線Ｂの走査速度が低くなる。
【００３６】
本実施形態では、演算部１１０は、ウェイトマップのうち、低い重みの領域を切り落とした（カットオフ）上で、上述のような荷電粒子線Ｂの電流値の設定、走査速度の設定を行う。すなわち、演算部１１０は、カットオフ線量値（図中の「ＣＶ」）を設定し、当該カットオフ線量値以下の重みについては切り落とす。この場合、演算部１１０は、図中の「Ａ１」を最も低い重みとみなし、当該「Ａ１」を基準として荷電粒子線Ｂの電流値を設定する。演算部１１０は、このようなカットオフ線量値を複数の値に変化させることで、線量分布を演算する際の荷電粒子線Ｂの電流値として、複数の値を設定することができる。
【００３７】
演算部１１０は、予め定められた複数のカットオフ線量値に対応させて、腫瘍１４に対して荷電粒子線Ｂを照射した場合の線量分布、及び当該照射に要する照射時間を演算する。演算部１１０は、腫瘍１４の各照射箇所において必要とされる線量を示すマップ（例えば図７に示すマップ）から、カットオフ線量値以下の線量を切り落としたうえで、線量分布を演算する際の荷電粒子線Ｂの電流値を設定する。
【００３８】
例えば、演算部１１０は、一つの治療計画を取得（ここでは作成）し、当該治療計画に対して複数のカットオフ線量値を採用した場合の複数の線量分布を演算してよい。または、演算部１１０は、複数のカットオフ線量値を採用した場合の複数の治療計画を取得（ここでは作成）し、それぞれの治療計画に対する線量分布を演算してよい。また、演算部１１０は、それぞれの線量分布に対し、腫瘍１４全体の照射に要する照射時間を演算する。すなわち、演算部１１０は、カットオフ線量値に基づいて設定された電流値の荷電粒子線Ｂにより、照射箇所において必要とされる線量に応じて走査速度を変更しながら照射した場合に、層Ｌ１の照射開始点から層ＬＮの照射終了点まで至るのに要する時間を演算する。
【００３９】
出力部１１１は、それぞれのカットオフ線量値、それぞれのカットオフ線量値に対応する線量分布に基づくデータ、及びそれぞれのカットオフ線量値に対応する照射時間を表示部１０１へ出力する。線量分布に基づくデータとして、ＤＶＨ（Ｄｏｓｅ  Ｖｏｌｕｍｅ  Ｈｉｓｔｇｒａｍ）のグラフ、及びＤＶＨパラメータが挙げられる。
【００４０】
ＤＶＨは、例えば図８に示すようなグラフとして示される。当該グラフの横軸は線量を示し、縦軸は対象物の体積全体のうちの横軸の線量以上が投与されている体積の割合を示す。当該グラフから、特定の線量について、対象物の体積の何％が当該線量以上を投与されているかを把握することができる。例えば、図８のＬ１は照射対象となる腫瘍１４でのＤＶＨを示すグラフであり、Ｌ２，Ｌ３は他の臓器でのＤＶＨを示すグラフである。腫瘍１４については、高い線量において、体積１００％近くになることが好ましい。照射対象ではない臓器については、線量を投与されている体積がなるべく低く、線量もなるべく低いことが好ましい。カットオフ線量値が変化すれば、表示部１０１に表示されるＤＶＨのグラフの形も変化する。これにより、ユーザーは、カットオフ線量値ごとのＤＶＨのグラフを参照することで、所望のカットオフ線量値を選び、入力部１０２に入力することができる。
【００４１】
ＤＶＨパラメータとして、「体積が所定の値となる線量」や「所定の線量に対する体積」などを採用してよい。例えば、腫瘍１４について体積が９５％となる線量をＤＶＨパラメータとして設定した場合、当該ＤＶＨパラメータの値は、図８中のＰ１に示す値となる。所定の臓器について線量Ｘに対する体積をＤＶＨパラメータとして設定した場合、当該ＤＶＨパラメータの値は、図８のグラフＬ２についてはＰ２に示す値となり、グラフＬ３についてはＰ３に示す値となる。カットオフ線量値が変化すれば、表示部１０１に表示されるＤＶＨパラメータも変化する。これにより、ユーザーは、カットオフ線量値ごとのＤＶＨパラメータを参照することで、所望のカットオフ線量値を選び、入力部に入力することができる。
【００４２】
受信部１１２は、表示部１０１に表示された内容に基づいてユーザーがカットオフ線量値を選択した場合、選択されたカットオフ線量値を受信する。受信部１１２は、入力部１０２で入力されたカットオフ線量値を受信する。また、受信部１１２は、ユーザーが所望する線量分布に基づくパラメータの入力を受信する。すなわち、ユーザーがカットオフ線量値を自分で判断して決めるのではなく、所望の線量分布が得られるように、前述のＤＶＨパラメータを入力部１０２に入力してもよい。この場合、受信部１１２は、入力部１０２で入力されたＤＶＨパラメータを受信する。
【００４３】
カットオフ線量値選択部１１３は、受信部１１２が受信したＤＶＨパラメータに最も近いＤＶＨパラメータに対応するカットオフ線量値を自動的に選択する。上述のように、あるカットオフ線量値を設定したら、それに対応する図８のようなＤＶＨのグラフが描かれる。従って、カットオフ線量値に対応するＤＶＨパラメータが一義的に定まる。演算部１１０が複数のカットオフ線量値に対応する線量分布の演算を行うことで、複数のＤＶＨパラメータが取得される。従って、カットオフ線量値選択部１１３は、複数のＤＶＨパラメータの中から、ユーザーが入力したＤＶＨパラメータに最も近いものを特定し、当該ＤＶＨパラメータに対応するカットオフ線量値を選択する。
【００４４】
電流値設定部１１４は、受信部１１２で受信したカットオフ線量値に基づいて、腫瘍１４へ荷電粒子線Ｂを照射する際の当該荷電粒子線Ｂの電流値を設定する。演算部１１０が線量分布を演算する時には、カットオフ線量値に対応する荷電粒子線Ｂの電流値を設定した。従って、電流値設定部１１４は、線量分布の演算の際に用いた電流値のうち、ユーザーによって選択されたカットオフ線量値に対応するものを、実際の治療における電流値として設定する。なお、カットオフ線量値選択部１１３が自動的にカットオフ線量値を選択した場合、電流値設定部１１４は、当該選択に係るカットオフ電流値に対応する電流値を、実際の治療における電流値として設定する。
【００４５】
次に、図５を参照して、本実施形態に係る治療計画システム２００による治療計画の手順の一例を示す。図５に示すように、治療計画装置１００は、演算部１１０にて、治療計画内で最適化の演算を行う（ステップＳ１０）。すなわち、演算部１１０は、一つの治療計画を作成することによって取得する。次に、治療計画装置１００は、演算部１１０にて、カットオフ線量ごとに、Ｓ１０で得られた治療計画の線量分布を演算する（ステップＳ２０）。なお、変化させるカットオフ線量値の最大値及び最大値、変化させる間隔などは、予め定められていてよいし、ユーザーにより選択されてもよい。
【００４６】
治療計画装置１００は、出力部１１１にて、それぞれのカットオフ線量値、それぞれのカットオフ線量値に対応する線量分布に基づくデータ、及びそれぞれのカットオフ線量値に対応する照射時間を表示部１０１へ出力する（ステップＳ３０）。ユーザーは、表示部１０１に表示された情報を参照し、照射精度と照射時間を総合的に判断して、カットオフ線量値を選択し、入力部１０２に選択したカットオフ線量値を入力する。治療計画装置１００は、受信部１１２にてユーザーが選択したカットオフ線量値を受信することで、当該カットオフ線量値を選択する（ステップＳ４０）。治療計画装置１００は、電流値設定部１１４にて、Ｓ４０で選択したカットオフ線量値に基づいて、腫瘍１４へ荷電粒子線Ｂを照射する際の当該荷電粒子線Ｂの電流値を設定する（ステップＳ５０）。その後、治療計画装置１００は、制御部７に作成した治療計画のデータを送信する。以上により、図５に示す処理が終了する。
【００４７】
次に、図６を参照して、本実施形態に係る治療計画システム２００による治療計画の他の手順の一例を示す。図６に示すように、治療計画装置１００は、演算部１１０にて、カットオフ線量値ごとに治療計画内で最適化の演算を行う（ステップＳ１１０）。すなわち、演算部１１０は、複数のカットオフ線量値を採用した場合の複数の治療計画を作成することによって取得する。次に、治療計画装置１００は、演算部１１０にて、Ｓ１１０で得られた治療計画ごとに線量分布を演算する（ステップＳ１２０）。
【００４８】
治療計画装置１００は、出力部１１１にて、それぞれのカットオフ線量値、それぞれのカットオフ線量値に対応する線量分布に基づくデータ、及び照射時間を表示部１０１へ出力する（ステップＳ１３０）。ユーザーは、所望のＤＶＨパラメータを入力部１０２にて入力し、治療計画装置１００は、受信部１１２にてユーザーが入力した入力情報を受信する（ステップＳ１４０）。治療計画装置１００は、受信部１１２が受信したＤＶＨパラメータに最も近いＤＶＨパラメータに対応するカットオフ線量値を自動的に選択する（Ｓ１５０）。治療計画装置１００は、電流値設定部１１４にて、Ｓ１５０で選択したカットオフ線量値に基づいて、腫瘍１４へ荷電粒子線Ｂを照射する際の当該荷電粒子線Ｂの電流値を設定する（ステップＳ１６０）。その後、治療計画装置１００は、制御部７に作成した治療計画のデータを送信する。以上により、図６に示す処理が終了する。なお、図６に示すＳ１４０，Ｓ１５０の処理を図５に示すＳ４０の処理と置き換えてもよい。また、図５に示すＳ４０の処理を図６に示すＳ１４０，Ｓ１５０の処理に置き換えてもよい。
【００４９】
次に、本実施形態に係る治療計画システム２００の作用・効果について説明する。
【００５０】
まず、比較例に係る治療計画システムについて説明する。比較例に係る治療計画システムは、腫瘍１４の各照射箇所において必要とされる線量を示すマップ（図７参照）のうち、最も低い線量（図における「Ａ２」）を基準にして荷電粒子線Ｂの電流値を設定する。Ａ２の線量は低いため、電流値は低い値に設定される。この場合、必要とされる線量が高い照射箇所へは低い走査速度で照射が行われるため、腫瘍１４全体の照射時間が長くなる。
【００５１】
これに対し、本実施形態に係る治療計画システム２００の演算部１１０は、腫瘍１４の各照射箇所において必要とされる線量を示すマップ（図７参照）から、カットオフ線量値以下の線量を切り落としたうえで、線量分布を演算する際の荷電粒子線Ｂの電流値を設定する。すなわち、演算部１１０は、腫瘍１４の各照射箇所において必要とされる線量から、カットオフ線量値以下の線量の照射箇所を切り落としたうえで、線量分布を演算する際の荷電粒子線Ｂの電流値を設定する。なお、図７では説明のためにマップからカットオフ線量値以下の線量を切り落としていたが、必ずしもマップを用いる必要はない。この場合、演算部１１０は、カットオフ線量値よりも高い線量（図７の「Ａ１」）を基準として電流値を設定することができる。これにより、高い電流値の荷電粒子線で走査を行うことで、全体の照射時間を短縮することができる。また、カットオフ線量以下の線量は、頻度も低いため、切り落とされたとしても全体的な照射精度に対する影響も小さくすることができる。
【００５２】
ここで、演算部１１０は、予め定められた複数のカットオフ線量値に対応させて、腫瘍１４に対して荷電粒子線Ｂを照射した場合の線量分布、及びそれぞれのカットオフ線量値に対応する当該照射に要する照射時間を演算することができる。また、出力部１１１は、それぞれのカットオフ線量値、それぞれのカットオフ線量値に対応する線量分布に基づくデータ、及びそれぞれのカットオフ線量値に対応する照射時間を表示部１０１へ出力することができる。従って、ユーザーは、表示部１０１を参照することで、照射精度と照射時間のバランスを見ながら、適切なカットオフ線量値を選ぶことが可能となる。以上により、荷電粒子線Ｂの照射時間を短縮することができる。
【００５３】
治療計画システム２００は、表示部１０１に表示された内容に基づいてユーザーがカットオフ線量値を選択した場合、選択されたカットオフ線量値を受信する受信部１１２と、受信部１１２で受信したカットオフ線量値に基づいて、腫瘍１４へ荷電粒子線Ｂを照射する際の当該荷電粒子線Ｂの電流値を設定する電流値設定部１１４と、を備えてよい。この場合、ユーザーの選択に基づいて設定されたカットオフ線量値に基づいた電流値の荷電粒子線Ｂにて治療を行うことが可能となる。
【００５４】
治療計画システム２００は、ユーザーが所望する線量分布に基づくパラメータの入力を受信する受信部１１２と、受信部１１２が受信したＤＶＨパラメータに最も近いＤＶＨパラメータに対応するカットオフ線量値を自動的に選択するカットオフ線量値選択部１１３と、を備える。この場合、ユーザーが所望するＤＶＨパラメータに基づいたカットオフ線量値にて治療を行うことが可能となる。
【００５５】
治療計画システム２００において、演算部１１０は、一つの治療計画を取得し、当該治療計画に対して複数のカットオフ線量値を採用した場合の複数の線量分布を演算してよい。この場合、治療計画の最適化演算が一回で済むため、演算時間を短くすることができる。また、治療計画の最適化演算が一回で済むため、演算部１１０の外部（治療計画装置１００以外の治療計画装置）で治療計画の最適化演算を行うことも可能となる。
【００５６】
治療計画システム２００において、演算部１１０は、複数のカットオフ線量値を採用した場合の複数の治療計画を取得し、それぞれの治療計画に対する線量分布を演算してよい。この場合、演算部１１０が各カットオフ線量値に対して治療計画の最適化を行うため、線量分布の乱れを抑制し易くなる。
【００５７】
本発明は上述の実施形態に限定されるものではない。
【００５８】
例えば、上述の実施形態では、治療計画システム２００は、腫瘍１４の全域に対して荷電粒子線Ｂの電流値を一定として照射する治療計画を作成したが、電流値が変化する箇所が存在していてもよい。
【００５９】
なお、治療計画装置１００の演算部１１０は、複数の処理装置の組み合わせによって構成されてもよく、治療計画内での最適化の演算（治療計画の作成）を行う処理装置と、カットオフ線量値に関わる演算を行う処理装置とが別れていてもよい。
【符号の説明】
【００６０】
１４…腫瘍（被照射体）、１０１…表示部、１１０…演算部、１１１…出力部、１１２…受信部（カットオフ線量値受信部、入力情報受信部）、１１３…カットオフ線量値選択部、１１４…電流値設定部、２００…治療計画システム。
【図１】
2020065655.tif 000003
【図２】
2020065655.tif 000004
【図３】
2020065655.tif 000005
【図４】
2020065655.tif 000006
【図５】
2020065655.tif 000007
【図６】
2020065655.tif 000008
【図７】
2020065655.tif 000009
【図８】
2020065655.tif 000010